(57)【特許請求の範囲】
【請求項１】
画像担持体上に形成されたトナー像を転写材に転写して画像を形成する画像形成装置において、形成されるトナー像を担持する画像担持体と、上記画像担持体上に形成されたトナー像を転写材に転写する転写手段と、上記転写手段で転写されたトナー像を転写材に定着する定着手段と、上記定着手段でトナー像が定着された転写材を排出するために搬送する転写材排出搬送経路と、上記転写材排出搬送経路を覆う転写材排出案内カバーと、上記転写材排出案内カバーを開閉端側に設けて上記転写手段を載置して筐体に対して回動して開閉可能な転写ユニットと、からなり、
転写材排出案内カバーは、着脱手段により、転写ユニットの開閉端側に着脱可能であり、
転写材排出搬送経路には、上記転写材排出案内カバーに代えて、分岐爪ユニットを装着可能であり、
分岐爪ユニットを増設する際の安全性を確保する機能と、両面ユニットを増設する際の安全性を確保する機能とを共に兼ね備える兼用安全手段を有している画像形成装置において、
兼用安全手段は、転写ユニット開放の際の安全性の確保並びに分岐爪ユニットと両面ユニットの増設の際の安全性の確保に兼用するインターロックスイッチと、上記分岐爪ユニットに着脱可能な取り外しカバーと、上記取り外しカバーに設けられて上記インターロックスイッチを開閉する爪と、上記両面ユニットに設けられて上記インターロックスイッチを開閉する爪とを有することを特徴とする画像形成装置。
【発明の詳細な説明】
【０００１】
【発明の属する技術分野】
本発明は、プリンター、ファクシミリ装置、複写機あるいはこれらの複合機等の電子写真方式の画像形成装置の改良に関し、特に、画像担持体上に形成されたトナー像を転写材に転写して画像を形成する画像形成装置に関する。
【０００２】
【従来の技術】
従来の画像形成装置には、既存の装置に対して他のユニットを後付けすることにより、新たな機能の付与を可能としたものがある。例えば、画像形成装置に対して両面ユニット及び１ビントレイユニット排紙トレイを増設する際には、分岐爪ユニットを増設し、両面ユニット及び１ビントレイユニット排紙トレイへの転写紙搬送経路を分岐爪ユニットの一個又は複数個の分岐爪の制御によって切り替えるようになっている。
画像形成装置においては、オペレータの安全を確保するため、又は、画像形成を正常な状態で行うために、インターロック機構によって、装置が予め設定された条件を満たしていない場合に装置の作動を強制的に停止させるようにしたものがあり、例えば特開平５―１６５２６７号の公報には、各部材の作動状態、又は、トナー残量を検知する、検知スイッチである各インターロックスイッチの兼用によって、使用個数を減少させるようにした技術が開示されている。
図５は従来の画像形成装置の一例の構造体の構成を示す断面図であり、帯電ローラ１１１によって一様に帯電された感光体ドラム１０１に、露光手段１１２から照射される光像により形成された静電潜像を、現像ローラ１１３により供給されたトナーによって現像することによりトナー像が形成される。
転写バイアスローラ１０２は、トナー像を担持する感光体ドラム１０１上と所定の幅で接触する部分の転写ニップ部を形成し、そこに転写紙を導き、転写バイアスローラ１０２によりバイアスを印加することで、感光体ドラム１０１上のトナー像を転写紙等の転写材上に静電転写させるようになっている。
そして、転写バイアスローラ１０２からのチャージにより、レジストローラ１１４より送られて来た転写紙にトナー像を転写し、感光体ドラム１０１上より転写紙を分離して、定着器１０３に搬送し、トナー像を転写紙に定着させる。
感光体ドラム１０１上においては、トナー像を転写紙に転写した後に、残留した付着トナーは、クリーニングブレード１１５で掻き落とされて次行程に備えるようになっている。
その後、感光体を中心とした画像形成部の下流側に位置する定着器１０３において、トナー像が定着されて送り出された転写紙は、排紙搬送経路１０４を通り、胴内排紙部１１６に排出され、排紙トレイ１１６ａ上にストックされるようになっている。
【０００３】
図６は図５の画像形成装置に対して分岐爪ユニット、両面ユニットを付加した構成を示す断面図であり、同図において、分岐爪ユニット１０８の２個の分離爪１０８ｂと分離爪１０８ｃによって、排紙トレイ１１６ａ、オプションユニットとして増設された１ビンユニット排紙トレイ１１６ｂ、両面ユニット１０９への転写紙の各搬送経路の分岐が行われるようになっている。
図７は増設ユニットを画像形成装置本体に装着する際の説明図であり、同図において、筐体１００に分岐爪ユニット１０８を装着する際、又は、排紙搬送経路１０４内でアコ―ディオンジャム等の転写紙詰まりが発生した場合の回復処理を実施する際には、転写バイアスローラ１０２を載置した転写ユニット１０６を下端の支点１０６ａを中心として外側へ回動して開き、定着器１０３から排紙コロ１０４ａまでの転写紙の搬送案内と兼用の外装カバーである排紙案内カバー１０５を取り外した上で、上記各作業を実施する。
両面ユニット１０９と１ビンユニット排紙トレイ１１６ｂの増設は、分岐爪ユニット１０８の装着後行われ、両面ユニット１０９と１ビンユニット排紙トレイ１１６ｂの装着順番は決まっているわけでは無く、どちらが先であってもかまわない。
然し、筐体１００側から駆動力が伝達される分岐爪ユニット１０８を装着する際、又は、排紙搬送経路１０４での転写紙詰まりのアコ―ディオンジャムの回復処理時は、転写ユニット１０６を回動して開き、更に、定着器１０３から排紙コロ１０４ａまでの転写紙の搬送案内と兼用の外装カバーである排紙案内カバー１０５を取り外す作業を合計２回も行わなければならず、更に、分岐爪ユニット１０８を装着する際の安全の確保のために、新たにインターロックスイッチの増設が必要になり、コスト高にもなると言う不具合が生じていた。
【０００４】
【発明が解決しようとする課題】
前述した従来の画像形成装置にあっては、画像形成装置に対して分岐爪ユニットを装着する際、又は、排紙搬送経路でのアコ―ディオンジャムの回復処理時は、転写ユニットを回動して開き、更に、排紙案内カバーを取り外すような２回もの作業を行わなければならず、更に、分岐爪ユニットを装着する際の安全の確保のために、新たにインターロックスイッチが必要になり、コスト高にもなると言う問題が生じていた。
そこで本発明の課題は、このような問題点を解決するものである。即ち、分岐爪ユニットを装着する際、又は、転写材排出搬送経路内でのアコ―ディオンジャム等の回復処理時の作業を軽減し、更に、分岐爪ユニットの装着が安全で低コストの画像形成装置を提供することを目的とする。
【０００５】
【課題を解決するための手段】
上記目的を達成するために、請求項１の本発明は、画像担持体上に形成されたトナー像を転写材に転写して画像を形成する画像形成装置において、形成されるトナー像を担持する画像担持体と、上記画像担持体上に形成されたトナー像を転写材に転写する転写手段と、上記転写手段で転写されたトナー像を転写材に定着する定着手段と、上記定着手段でトナー像が定着された転写材を排出するために搬送する転写材排出搬送経路と、上記転写材排出搬送経路を覆う転写材排出案内カバーと、上記転写材排出案内カバーを開閉端側に設けて上記転写手段を載置して筐体に対して回動して開閉可能な転写ユニットと、からなり、転写材排出案内カバーは、着脱手段により、転写ユニットの開閉端側に着脱可能であり、転写材排出搬送経路には、上記転写材排出案内カバーに代えて、分岐爪ユニットを装着可能であり、分岐爪ユニットを増設する際の安全性を確保する機能と、両面ユニットを増設する際の安全性を確保する機能とを共に兼ね備える兼用安全手段を有している画像形成装置において、兼用安全手段は、転写ユニット開放の際の安全性の確保並びに分岐爪ユニットと両面ユニットの増設の際の安全性の確保に兼用するインターロックスイッチと、上記分岐爪ユニットに着脱可能な取り外しカバーと、上記取り外しカバーに設けられて上記インターロックスイッチを開閉する爪と、上記両面ユニットに設けられて上記インターロックスイッチを開閉する爪とを有することを最も主要な特徴とする。
【０００６】
【作用】
上記のように構成された画像形成装置においては、画像担持体上に形成されたトナー像が、転写手段で転写されて、転写材に定着した定着手段から、転写材を排出するために搬送する転写材排出搬送経路を覆う転写材排出案内カバーを、転写手段を載置して筐体に対して回動して開閉可能な転写ユニットの開閉端側に設けるようにして、分岐爪ユニットを装着する際、又は、転写材排出搬送経路内でのアコーディオンジャム等の回復処理時の作業を軽減する画像形成装置を提供することが出来るようにする。即ち、増設ユニット（オプションユニット）の非増設時には、転写材排出搬送経路を覆うように転写ユニットに配置された転写材排出案内カバーは、増設ユニットを増設する際に排出経路を切り換えるために必要な分岐爪ユニットを増設する際には転写ユニットから取り外され、その代わりに分岐爪ユニットが装着される。つまり、分岐爪ユニット装着時には転写ユニットを開放して簡単な取り外し操作を行うだけで転写材排出案内カバーを取り外すことができ、またアコーディオンジャム等の回復処理に際しても、転写カバー諸共上記カバーを開放できるので、作業性が向上する。また、画像担持体上に形成されたトナー像が、転写手段で転写されて、転写材に定着した定着手段から、転写材を排出するために搬送する転写材排出搬送経路を覆う転写材排出案内カバーを、着脱手段により、転写手段を載置して筐体に対して回動して開閉可能な転写ユニットの開閉端側に設けるようにして、分岐爪ユニットを装着する際、又は、転写材排出搬送経路内でのアコーディオンジャム等の回復処理時の作業を軽減してオプションユニットが増設可能な画像形成装置を提供することが出来るようにする。つまり、転写材排出案内カバーは、転写ユニットに対して着脱手段によって、極めて容易に着脱できるように構成されているので、オプションユニットの増設作業を容易に行うことが可能となる。また、画像担持体上に形成されたトナー像が、転写手段で転写されて、転写材に定着した定着手段から、転写材を排出するために搬送する転写材排出搬送経路を覆う転写材排出案内カバーを、着脱手段により取り外して、分岐爪ユニットを装着するようにして、分岐爪ユニットを装着する際、又は、転写材排出搬送経路内でのアコーディオンジャム等の回復処理時の作業を軽減して分岐爪ユニットによるオプションユニットが増設可能な画像形成装置を提供することが出来るようにする。つまり、転写材排出案内カバーに代えて分岐爪ユニットを装着することにより、転写材排出搬送経路をそのまま利用した分岐排出が可能となる。また、画像担持体上に形成されたトナー像が、転写手段で転写されて、転写材に定着した定着手段から、転写材を排出するために搬送する転写材排出搬送経路を覆う転写材排出案内カバーを、着脱手段により取り外して、両面ユニットを増設するようにして、分岐爪ユニットを装着する際、又は、転写材排出搬送経路内でのアコーディオンジャム等の回復処理時の作業を軽減して転写材の両面に画像形成の出来る画像形成装置を提供することが出来るようにする。また、画像担持体上に形成されたトナー像が、転写手段で転写されて、転写材に定着した定着手段から、転写材を排出するために搬送する転写材排出搬送経路を覆う転写材排出案内カバーを、着脱手段により取り外して、両面ユニットを増設すると共に分岐爪ユニットの増設の際の安全性の確保と両面ユニットの増設の際の安全性の確保とを兼用にした兼用安全手段を有するようにして、分岐爪ユニットを装着する際、又は、転写材排出搬送経路内でのアコーディオンジャム等の回復処理時の作業を軽減して転写材の両面に画像形成が出来ると共に安全で格安な画像形成装置を提供することが出来るようにする。つまり、転写材排出案内カバーや、取り出しカバーや、両面ユニットを画像形成装置本体側離脱させた際に、露出するギヤ等の可動部品や電気部品等に操作者が手等を触れてけがを負うことを防止する為に、兼用安全手段を設けたものである。また、画像担持体上に形成されたトナー像が、転写手段で転写されて、転写材に定着した定着手段から、転写材を排出するために搬送する転写材排出搬送経路を覆う転写材排出案内カバーを、着脱手段により取り外して、両面ユニットを増設すると共に転写ユニット開放の際の安全性の確保並びに分岐爪ユニットと両面ユニットの増設の際の安全性の確保に兼用するインターロックスイッチと、分岐爪ユニットに着脱可能な取り外しカバーと、取り外しカバーに設けてインターロックスイッチを開閉する爪と、両面ユニットに設けてインターロックスイッチを開閉する爪とからなる兼用安全手段を有するようにして、分岐爪ユニットを装着する際、又は、転写材排出搬送経路内でのアコーディオンジャム等の回復処理時の作業を軽減して転写材の両面に画像形成が出来ると共に簡単な構造で安全で格安な画像形成装置を提供することが出来るようにする。
【０００７】
【発明の実施の形態】
次に、本発明の実施の形態を図面を参照して詳細に説明する。
図１は本発明の一形態例の画像形成装置の縦断面図であり、この画像形成装置は、図５乃至図７に示した従来例の画像形成装置に僅かの改良を加えることにより、従来例の上記欠点を改善するようにしたものである為、本発明の特徴的な構成要素を除いた他の構成要素は上記従来例のものと同様である。
即ち、本件発明の画像形成装置は、画像担持体１としての感光体ドラム上を帯電手段１１の帯電ローラによって一様に帯電した後に、露光手段１２からの露光により形成された静電潜像を、現像手段１３の現像ローラにより供給されたトナーによって現像してトナー像を形成する。
転写手段２の転写バイアスローラは、筐体０に対して図示の矢印Ａ方向に回動して開閉可能な転写ユニット６に載置され、トナー像を担持する上記画像担持体１の感光体ドラム上と所定の幅で接触する部分の転写ニップ部を形成し、そこに転写材（Ｐ）の転写紙を導き、上記転写手段２の転写バイアスローラによりバイアスを印加することで、上記画像担持体１の感光体ドラム上のトナー像を静電転写させるようになっている。
そして、上記転写手段２の転写バイアスローラからのチャージにより、レジストローラ１４より送られて来た転写材（Ｐ）の転写紙にトナー像を転写し、上記画像担持体１の感光体ドラム上より転写材（Ｐ）の転写紙を分離して、定着手段３に搬送されて、トナー像を転写材（Ｐ）の転写紙に定着されるようになっている。
上記画像担持体１の感光体ドラム上においては、トナー像を転写材（Ｐ）の転写紙に転写した後に、残留した付着トナーは、クリーニング手段１５のクリーニングブレード等で掻き落とされて次行程に備えるようになっている。
定着手段３よりトナー像が定着されて送り出された転写材（Ｐ）の転写紙は、転写材排出送経路４を通り、上記転写材排出搬送経路４を覆うと共に上記転写ユニット６の開閉端側に着脱手段７の着脱螺子の螺子止め又は着脱パッチンのパッチン止めされて一体化して設けた転写材排出案内カバー５に案内されて、胴内転写材排出部１６に排出され、転写材排出トレイ１６ａにストックされるようになっている。
【０００８】
即ち、着脱手段７は、着脱可能な螺子から成る螺子止めによる方法か、或は弾性係止片と被係止穴等から成る着脱パッチン方式の係止方法等による着脱手段であり、転写材排出案内カバー５はこの着脱手段７によって転写ユニット６に対して着脱可能に係止される。
従って、上記転写材排出搬送経路４で転写材（Ｐ）の転写紙詰まりによるジャム、例えば、アコーディオンジャムの回復処理をする場合は、上記転写ユニット６を図示の矢印Ａ方向（外方向）に回動して開くだけで、上記転写材排出搬送経路４は開放され、転写材（Ｐ）の転写紙詰まりによるアコーディオンジャムの回復処理を簡単な作業で行うことが出来る。
又は、図示しない１ビンユニット転写材排出トレイ１６ｂ又は図示しない両面ユニット９を増設するために図示しない分岐爪ユニット８を装着する際には、上記着脱手段７の着脱螺子の螺子止め又は着脱パッチンのパッチン止めを解除するだけで、上記転写ユニット６から上記転写材排出案内カバー５を簡単な作業で取り外して行うことが出来る。
つまり、着脱手段７を解除して転写材排出案内カバー５を転写ユニット６から取り外すことにより、分離爪ユニット８を、該カバー５の代わりに同所に取り付けることが可能となる。
【０００９】
図２は図１の画像形成装置に分離爪ユニット及び両面ユニットを取り付けた状態を示す図であり、同図において、上記分岐爪ユニット８の２個の分離爪８ｂと分離爪８ｃによって、上記胴内転写材排出部１６内の上記転写材排出トレイ１６ａ、オプションユニットとして増設された１ビンユニット転写材排出トレイ１６ｂ、両面ユニット９への転写材（Ｐ）の転写紙の各搬送経路の分岐が行われるようになっている。
つまり、転写材排出案内カバー５を取り外してから、分岐爪ユニット８をカバー５の位置していた箇所に取り付けると共に、両面ユニット９を転写ユニット６の外側に取り付けることにより、定着装置３から排出された転写材をトレイ１６ａ，１６ｂ，或は両面ユニット９側へ選択的に排出できるようになる。
【００１０】
図３は本発明の画像形成装置の分解斜視図であり、図４は兼用安全手段の一例の斜視図である。同図において、オプションユニットとして図示しない上記１ビンユニット転写材排出トレイ１６ｂ、上記両面ユニット９が増設される前の筐体０側には、上記転写ユニット６に上記転写材排出案内カバー５が上記着脱手段７の着脱螺子により螺子止め又は着脱パッチンによるパッチン止めされている。
つまり、増設ユニットを組み込む前の状態に於ては、螺子止め、或は着脱パッチンを利用等から成る着脱手段７によって、転写ユニット６には転写材排出案内カバー５が設けられているが、増設ユニットを組み込む際にはこのカバー５を除去した上で、組込みが行われる。
上記転写材排出案内カバー５には、兼用安全手段１０のインターロックスイッチのインターロックスイッチ１０ａのアクチュエータ１０ａ１に接して開閉（ＯＦＦ、ＯＮ）させる爪５ａが設けられており、上記転写ユニット６にも上記兼用安全手段１０のインターロックスイッチのインターロックスイッチ１０ｂに接してアクチュエータ１０ｂ１を開閉させる爪６ａが設けられている。
【００１１】
上記筐体０側の上記兼用安全手段１０のインターロックスイッチの上記インターロックスイッチ１０ａと上記インターロックスイッチ１０ｂは、直列に連結されており、どちらか一方がＯＦＦされると、上記筐体０側の図示しない駆動系の電流が切断されるようになっている。
上記両面ユニット９を増設する際には、まず上記転写ユニット６を上記筐体０に対して回動して開き、上記着脱手段７の着脱螺子により螺子止め又は着脱パッチンによるパッチン止めされている上記転写材排出案内カバー５を取り外し、その代わりに上記分岐爪ユニット８を装着し、上記分岐爪ユニット８の上記両面ユニット９を増設する際に取り外す取り外しカバー８ａを取り外し、上記両面ユニット９を装着して増設するようになっている。
つまり、例えば１ビンユニット転写材排出トレイ１６ｂだけを増設する場合には、取り外しカバー８ａを装着したままの分岐爪ユニット８を所定位置に組み込むことにより、排出トレイ１６ａと１６ｂへの選択的な排出切り換えが可能となる一方で、両面ユニット９だけを、或は排出トレイ１６ｂとともに両面ユニット９を増設する場合には、取り外しカバー８ａを除去して両面ユニット側への連通路を開放した上で、両面ユニット９を取り付ける。
【００１２】
上記分岐爪ユニット８の駆動は、上記筐体０側の歯車０ａを介して行われ、上記両面ユニット９の駆動は上記分岐爪ユニット８の歯車８ｅを介して行われるようになっている。
上記転写材排出案内カバー５の上記爪５ａ、上記分岐爪ユニット８の上記両面ユニット９を増設する際に取り外す上記取り外しカバー８ａの爪８ａ１、上記両面ユニット９の爪９ａは、全て、上記筐体０側の上記兼用安全手段１０のインターロックスイッチの上記インターロックスイッチ１０ａのアクチュエータ１０ａ１を押圧解除、押圧して開閉（ＯＦＦ、ＯＮ）させるようになっていて、上記筐体０側の歯車０ａ、又は、上記分岐爪ユニット８の歯車８ｅが露呈する状態になった場合には、オペレター等の安全性の確保のために、上記筐体０側の上記兼用安全手段１０のインターロックスイッチの上記インターロックスイッチ１０ａをそのアクチュエータ１０ａ１を介してＯＦＦにさせることができる。
【００１３】
【発明の効果】
本発明は、以上説明したように構成されているので、画像担持体上に形成されたトナー像が、転写手段で転写されて、転写材に定着した定着手段から、転写材を排出するために搬送する転写材排出搬送経路を覆う転写材排出案内カバーを、転写手段を載置して筐体に対して回動して開閉可能な転写ユニットの開閉端側に設けるようにしたので、分岐爪ユニットを装着する際、又は、転写材排出搬送経路内でのアコーディオンジャム等の回復処理時の作業を軽減する画像形成装置を提供することが出来るようになった。即ち、増設ユニット（オプションユニット）の非増設時には、転写材排出搬送経路を覆うように転写ユニットに配置された転写材排出案内カバーは、増設ユニットを増設する際に排出経路を切り換えるために必要な分岐爪ユニットを増設する際には転写ユニットから取り外され、その代わりに分岐爪ユニットが装着される。つまり、分岐爪ユニット装着時には転写ユニットを開放して簡単な取り外し操作を行うだけで転写材排出案内カバーを取り外すことができ、またアコーディオンジャム等の回復処理に際しても、転写カバー諸共上記カバーを開放できるので、作業性が向上する。また、画像担持体上に形成されたトナー像が、転写手段で転写されて、転写材に定着した定着手段から、転写材を排出するために搬送する転写材排出搬送経路を覆う転写材排出案内カバーを、着脱手段により、転写手段を載置して筐体に対して回動して開閉可能な転写ユニットの開閉端側に設けるようにしたので、分岐爪ユニットを装着する際、又は、転写材排出搬送経路内でのアコーディオンジャム等の回復処理時の作業を軽減してオプションユニットが増設可能な画像形成装置を提供することが出来るようになった。即ち、転写材排出案内カバーは、転写ユニットに対して着脱手段によって、極めて容易に着脱できるように構成されているので、オプションユニットの増設作業を容易に行うことが可能となる。また、画像担持体上に形成されたトナー像が、転写手段で転写されて、転写材に定着した定着手段から、転写材を排出するために搬送する転写材排出搬送経路を覆う転写材排出案内カバーを、着脱手段により取り外して、分岐爪ユニットを装着するようにしたので、分岐爪ユニットを装着する際、又は、転写材排出搬送経路内でのアコーディオンジャム等の回復処理時の作業を軽減して分岐爪ユニットによるオプションユニットが増設可能な画像形成装置を提供することが出来るようになった。つまり、転写材排出案内カバーに代えて分岐爪ユニットを装着することにより、転写材排出搬送経路をそのまま利用した分岐排出が可能となる。
【００１４】
また、画像担持体上に形成されたトナー像が、転写手段で転写されて、転写材に定着した定着手段から、転写材を排出するために搬送する転写材排出搬送経路を覆う転写材排出案内カバーを、着脱手段により取り外して、両面ユニットを増設するようにしたので、分岐爪ユニットを装着する際、又は、転写材排出搬送経路内でのアコーディオンジャム等の回復処理時の作業を軽減して転写材の両面に画像形成の出来る画像形成装置を提供することが出来るようになった。また、画像担持体上に形成されたトナー像が、転写手段で転写されて、転写材に定着した定着手段から、転写材を排出するために搬送する転写材排出搬送経路を覆う転写材排出案内カバーを、着脱手段により取り外して、両面ユニットを増設すると共に分岐爪ユニットの増設の際の安全性の確保と両面ユニットの増設の際の安全性の確保とを兼用にした兼用安全手段を有するようにしたので、分岐爪ユニットを装着する際、又は、転写材排出搬送経路内でのアコーディオンジャム等の回復処理時の作業を軽減して転写材の両面に画像形成が出来ると共に安全で格安な画像形成装置を提供することが出来るようになった。また、画像担持体上に形成されたトナー像が、転写手段で転写されて、転写材に定着した定着手段から、転写材を排出するために搬送する転写材排出搬送経路を覆う転写材排出案内カバーを、着脱手段により取り外して、両面ユニットを増設すると共に転写ユニット開放の際の安全性の確保並びに分岐爪ユニットと両面ユニットの増設の際の安全性の確保に兼用するインターロックスイッチと、分岐爪ユニットに着脱可能な取り外しカバーと、取り外しカバーに設けてインターロックスイッチを開閉する爪と、両面ユニットに設けてインターロックスイッチを開閉する爪とからなる兼用安全手段を有するようにしたので、分岐爪ユニットを装着する際、又は、転写材排出搬送経路内でのアコーディオンジャム等の回復処理時の作業を軽減して転写材の両面に画像形成が出来ると共に簡単な構造で安全で格安な画像形成装置を提供することが出来るようになった。
【図面の簡単な説明】
【図１】本発明の実施の形態例の画像形成装置の説明図である。
【図２】本発明の他の実施の形態例の画像形成装置の説明図である。
【図３】本発明の他の実施の形態例の画像形成装置を説明する展開斜視図である。
【図４】本発明の他の実施の形態例の画像形成装置の主要部を説明する拡大斜視図である。
【図５】従来の画像形成装置の説明図である。
【図６】従来の他の画像形成装置の説明図である。
【図７】従来の画像形成装置の主要部を説明する展開図である。
【符号の説明】
０  筐体、０ａ  歯車、１  画像担持体、２  転写手段、３  定着手段、４  転写材排出搬送経路、４ａ  転写材排出コロ、５  転写材排出案内カバー、５ａ爪、６  転写ユニット、６ａ  爪、７  着脱手段
８  分岐爪ユニット、８ａ  取り外しカバー、８ａ１  爪、８ｂ  分離爪、８ｃ  分離爪、８ｄ  転写材排出コロ、８ｅ  歯車
９  両面ユニット、９ａ  爪
１０  兼用安全手段、１０ａ  インターロックスイッチ、１０ａ１  アクチュエータ、１０ｂ  インターロックスイッチ、１０ｂ１  アクチュエータ
１１  帯電手段、１２  露光手段、１３  現像手段、１４  レジストローラ、
１５  クリーニング手段、
１６  胴内転写材排出部、１６ａ  転写材排出トレイ、１６ｂ  １ビンユニット転写材排出トレイ
１００  筐体、１０１  感光体ドラム、１０２  転写バイアスローラ、１０３定着器、１０４  排紙搬送経路、１０４ａ  排紙コロ、１０５  排紙案内カバー、  １０６  転写ユニット、
１０８  分岐爪ユニット、１０８ａ  カバー、１０８ｂ  分離爪、１０８ｃ  爪
１０９  両面ユニット、１１１  帯電ローラ、１１２  露光手段、１１３  現像ローラ、１１４  レジストローラ、１１５  クリーニングブレード、
１１６  胴内排紙部、１１６ａ  排紙トレイ、１１６ｂ  １ビンユニット排紙トレイ
【図１】
0003629631.tif 000002
【図２】
0003629631.tif 000003
【図３】
0003629631.tif 000004
【図４】
0003629631.tif 000005
【図５】
0003629631.tif 000006
【図６】
0003629631.tif 000007
【図７】
0003629631.tif 000008